(57)【要約】【課題】本発明は、充填した充填材に集合管の垂直荷重が伝わっても、床スラブとの接触面ではせん断応力がかからず、長年の使用によっても集合管が床スラブから外れて下側に落ちてしまうことがなく、もって充填された充填材（モルタル）の接着面強度の充分な信頼性が確保できる集合管装着部の形成装置及びその形成方法を提供することを目的とするものである。【解決手段】床スラブ形成用下型枠と該下型枠上に固定される逆円錐形状をなす集合管装着用空間部の形成型枠と、前記床スラブ形成用下型枠上に打設される床スラブ用コンクリートと、前記集合管装着用空間部の形成型枠内に予め収納され、該形成型枠脱型後、前記空間部内に装着される集合管と前記空間部との隙間を充填、固定する充填材材料入りパックとを有することを特徴とするものである。【選択図】        図１
2004150164.tif 000002
【特許請求の範囲】
【請求項１】
床スラブ形成用下型枠と、
該下型枠上に固定される逆円錐形状をなす集合管装着用空間部の形成型枠と、
前記床スラブ形成用下型枠上に打設される床スラブ用コンクリートと、
前記集合管装着用空間部の形成型枠内に予め収納され、該形成型枠脱型後、前記空間部内に装着される集合管と前記空間部との隙間を充填、固定する充填材材料入りパックと、
を有し、
前記形成型枠は、脱型後、充填材材料入りパックからの充填材料を混練りする混練り容器となると共に、内部には混練り水を注水する目安となる目盛り線が予め描かれ、
前記充填材材料入りパックには前記隙間充填用のみの充填材料の分量が収納されてなる、
ことを特徴とする床スラブにおける集合管装着部の形成装置。
【請求項２】
床スラブ形成用下型枠を設置すると共に、該床スラブ形成用下型枠の上面に逆円錐形状をなす集合管装着用空間部の形成型枠を固定し、
前記集合管装着用空間部の形成型枠内には該形成型枠脱型後、前記空間部内に装着される集合管と前記形成された空間部との隙間を充填、固定する充填材材料入りパックを予め収納してなり、
前記形成型枠に蓋を装着して密閉後、前記床スラブ形成用下型枠上にコンクリートを前記形成型枠の上面が隠れる高さまで打設して床スラブを形成し、
前記コンクリートの固化後、前記形成型枠の上面に対応するコンクリートを破壊して前記形成型枠を抜き取り、
前記形成された空間部に集合管を装着すると共に、集合管と前記空間部との隙間を前記形成型枠内に予め収納された充填材材料入りパックからの充填材料で充填し、固定した、
ことを特徴とする床スラブにおける集合管装着部の形成方法。
【請求項３】
前記集合管装着用空間部の形成型枠は市販の紙パックを使用したことを特徴とする請求項１または請求項２記載の床スラブにおける集合管装着部の形成装置及びその形成方法。
【発明の詳細な説明】
【０００１】
【発明の属する技術分野】
本発明は、建築躯体の排水設備等において床スラブを貫通して設置される集合管（短観式集合継ぎ手）の床スラブ装着部にかかわる形成装置及びその形成方法に関するものである。
【従来技術】
従来、例えば集合管を床スラブを貫通して据え付けるために、床スラブにそのための空間部を設けるには、例えば紙製の円筒状材料を所定の長さに切断し、両端を粘着テープで塞ぎ、釘などで床スラブ用下型枠ベニヤ上面に固定し、床スラブ形成用に打設するコンクリート内にそのための空間部を形成するもとしていた。
【０００２】
そして、集合管を前記所定の空間部内に据え付け、床スラブと前記集合管との間に生じた隙間にはモルタル等の充填材を充填して、集合管を床スラブに装着していた。
【発明が解決しようとする課題】
しかしながら、従来、図７から理解されるように、床スラブに形成された集合管用空間部は円筒状をなしており、該空間部内に略逆円錐形状をなす集合管を装着後、該集合管外周面と空間部との間の隙間に充填材を充填して前記隙間を埋めても、図７の矢印が示すごとく、充填した充填材に集合管の垂直荷重が伝わり、床スラブとの接触面（垂直側面）ではせん断応力がかかってしまい、長年の使用により集合管が床スラブから外れて下側に落ちてしまうとの課題があった。
【０００３】
また、前記空間部に充填する充填材（モルタル）を作る材料は、他の工種とまとめて購入し、かつセメントは袋詰のものを使用していたため、前記隙間を充填するように少量しか使用しないときには袋詰開封後に長時間を経ることがあり、その場合、充填材料が吸湿してしまい、その後使用できなくなるとの課題もあった。
【０００４】
かくして本発明は前記従来の課題に対処すべく創案されたものであり、充填した充填材に集合管の垂直荷重が伝わっても、床スラブとの接触面ではせん断応力がかからず、長年の使用によっても集合管が床スラブから外れて下側に落ちてしまうことがなく、もって充填された充填材（モルタル）の接着面強度の充分な信頼性が確保出来、また充填材（モルタル）の使用量がかなり削減出来ると共に、充填材が余らないため袋詰開封後に長時間を経て、充填材料が吸湿することのない床スラブにおける集合管装着部の形成装置及びその形成方法を提供することを目的とするものである。
【課題を解決するための手段】
本発明による床スラブにおける集合管装着部の形成装置及びその形成方法は、床スラブ形成用下型枠と、
該下型枠上に固定される逆円錐形状をなす集合管装着用空間部の形成型枠と、
前記床スラブ形成用下型枠上に打設される床スラブ用コンクリートと、
前記集合管装着用空間部の形成型枠内に予め収納され、該形成型枠脱型後、前記空間部内に装着される集合管と前記空間部との隙間を充填、固定する充填材材料入りパックと、
を有し、
前記形成型枠は、脱型後、充填材材料入りパックからの充填材料を混練りする混練り容器となると共に、内部には混練り水を注水する目安となる目盛り線が予め描かれ、
前記充填材材料入りパックには前記隙間充填用のみの充填材料の分量が収納されてなる、
ことを特徴とし、
または、
床スラブ形成用下型枠を設置すると共に、該床スラブ形成用下型枠の上面に逆円錐形状をなす集合管装着用空間部の形成型枠を固定し、
前記集合管装着用空間部の形成型枠内には該形成型枠脱型後、前記空間部内に装着される集合管と前記形成された空間部との隙間を充填、固定する充填材材料入りパックを予め収納してなり、
前記形成型枠に蓋を装着して密閉後、コンクリートを前記形成型枠の上面が隠れる高さまで打設して床スラブを形成し、
前記コンクリートの固化後、前記形成型枠の上面に対応するコンクリートを破壊すると共に、前記形成型枠を抜き取り、
前記形成された空間部に集合管を装着すると共に、集合管と前記空間部との隙間を前記形成型枠内に予め収納された充填材材料入りパックからの充填材料で充填し、固定した、
ことを特徴とし、
または、
前記集合管装着用空間部の形成型枠は市販の紙パックを使用したことを特徴とするものである。
【発明の実施の形態】
以下、本発明を図に示す実施例に基づいて説明する。
【０００５】
図において符号１は床スラブ形成用下型枠を示す。
【０００６】
該床スラブ形成用下型枠１の材質は何ら限定されないが、通常平板なベニヤ板で構成しても構わない。
【０００７】
そして、この床スラブ形成用下型枠１の上面には逆円錐形状をなす集合管装着用空間部２の形成型枠３が固定される。
【０００８】
この固定方法について何ら限定されず、前記形成型枠３の底部から例えば釘４を床スラブ形成用下型枠１に打ち込むことが考えられる。
【０００９】
尚、前記逆円錐形状をなす集合管装着用空間部２の形成型枠３の材質については、使用後にゴミとして簡単に処分できるかものかあるいは焼却出来る材質のものが好ましく、例えば市販されている紙コップが使用できるものである。
【００１０】
さらに、この形成型枠３の内部には予めモルタルの原料となる砂とセメントが入った充填材料入りパック５が接着テープなどにより内部の側壁に貼着されており、さらに内部の側壁には内部に混練り水６を注水する目安とされる目盛り線７が描かれている。
【００１１】
後述するが、この様に逆円錐形状をなす集合管装着用空間部２の形成型枠３は、脱型後に充填材料入りパック５から、モルタルの原料となる充填材料、すなわち砂やセメントを取り出し、これに混練り水６を加えて混練りする混練り容器ともなるものである。
図１に示すように、逆円錐形状をなす集合管装着用空間部２の形成型枠３に蓋８をして密閉する。
【００１２】
尚、形成型枠３の蓋８も紙製となっており、例えば粘着テープとリブで補強し密閉しておく。
【００１３】
その後、蓋８の上方位置までコンクリートを打設して床スラブを形成する。
【００１４】
しかして、床スラブ１２の形成後、すなわちコンクリートの固化後、前記蓋８の上方位置に存するコンクリートを破壊し、形成型枠３を脱型して取り出す。ここで、形成型枠３の脱型操作は該形成型枠３の底部から工具１１等で突き上げることにより簡単に行える。
【００１５】
これにより床スラブ１２内に略逆円錐形状をした集合管装着用空間部２が形成される。
【００１６】
この様に、前記集合管装着用空間部２の形状が逆円錐形状をなしており、その斜辺の角度が後に装着される集合管９の外周面の斜辺とほぼ平行になっているため、
（１）縦管等の垂直荷重が床スラブ１２にスムーズに伝搬される。
（２）床スラブ１２と充填材（モルタル）１０との接触面は剪断応力が減少し、圧縮応力が増えて、集合管９の据付強度の信頼性が向上する。
（３）集合管９と床スラブ１２との間に存する隙間が最小化され、該隙間をふさぐ充填材（モルタル）１０の量が従来工法より少なくしうる。
【００１７】
との利点が得られる。
【００１８】
ところで、形成型枠３の外周面の様にコンクリートと接触する部分は、例えば、吸水しない表面被覆材で覆うか又は平滑に仕上げておけば、少ない力では形成型枠３を外すことができる。また、前記表面被覆材は焼却時にダイオキシン等の発生しない材料とすることが好ましい。
【００１９】
脱型した形成型枠３は前述のように混練り容器となる。すなわち、内部に貼り付けてある、モルタルの原料となる砂とセメントが入った充填材料入りパック５から前記充填材１０を取り出し、形成型枠３内に入れる。次いで混練り水６を目盛り線７の部分まで注ぎ、混練りする。
【００２０】
所定時間混練りすると、充填用のモルタル、すなわち充填材１０が簡単にできあがる。
【００２１】
その後、集合管９を集合管装着用空間部２に貫挿させ、前記空間部２と前記集合管９の外周面との間の隙間に充填材１０、例えば砂とセメントで形成されて混練り水６で混練りされたモルタルを充填し、所定の養生時間をおいて固化させ前記集合管９を床スラブに装着するのである。
【００２２】
ところで、前述したように、隙間を充填すべく使用される前記充填材１０の分量は予め充填材料入りパック５に小分けされて定まっており、もって従来のように過剰な量をあるいは少量すぎた量を誤って使用することがない。すなわち、絶えず最適な量の充填材（モルタル）１０を誰でも簡単に調合して作製することが出来る。
【００２３】
尚、充填材（モルタル）１０を混練りするときは、形成型枠３の固定のときに釘４で開けた穴を例えば付属の粘着テープなどで塞いでおく。
【００２４】
ここで、形成型枠３自体は前述したように、隙間に充填材１０を充填する際の漏斗代わりとなるため、作業用道具を少なくすることが出来、使用後焼却処分とすることを考えると、作業後の片付け洗浄などの手間が不要となる。
【００２５】
尚、充填材料入りパック５の材質は湿気等が透過しないビニール等で形成すれば、防湿処理が施されて、長期間使用されなくともその品質が劣化するおそれがない。
【００２６】
また、使用後の形成型枠３は紙製で形成すれば前記のように焼却処分が可能であり、さらにつぶすことも容易であるため、焼却しないときでもゴミ箱の容積を取らず、ごみの減量化にも貢献できる。
【００２７】
また、集合管装着用空間部２の形成型枠３の形状が逆円錐形状をなすコップ状とされているため現場には幾重にも重ねて運搬することが出来、従来の形成型枠よりも運びやすくしてある。
【００２８】
また、前述のように、充填材（モルタル）１０の原料は１個所ずつ必要な量が形成型枠３内に備え付けてあるため、使い残しのセメントが吸湿して使用できなくなる等の材料の無駄が減り、また作り過ぎによるゴミも出ない。
【００２９】
さらに、従来の集合管装着用空間部用の形成型枠は４メートルほどの円筒状に形成されており、切断する必要があったが、本発明では切断する必要さえもない。
【発明の効果】
かくして本発明は以上の構成よりなる。
【００３０】
そして本発明による床スラブにおける集合管装着部の形成装置及びその形成方法であれば、充填した充填材に集合管の垂直荷重が伝わっても、床スラブとの接触面ではせん断応力がかからず、長年の使用によっても集合管が床スラブから外れて下側に落ちてしまうことがなく、もって充填された充填材（モルタル）の接着面強度の充分な信頼性が確保出来る。また充填材（モルタル）の使用量がかなり削減出来ると共に、充填材が余らないため袋詰開封後に長時間を経て、充填材料が吸湿することがない等の優れた効果を奏する。
【図面の簡単な説明】
【図１】本発明による形成装置の概略構成を説明する説明図（その１）である。
【図２】本発明による形成装置の概略構成を説明する説明図（その２）である。
【図３】本発明による集合管装着用空間部の形成型枠の構成を説明する説明図である。
【図４】本発明による形成装置の概略構成を説明する説明図（その３）である。
【図５】本発明による形成装置の概略構成を説明する説明図（その４）である。
【図６】本発明による形成装置の概略構成を説明する説明図（その５）である。
【図７】従来例の構成を説明する説明図である。
【符号の説明】
１      床スラブ形成用下型枠
２      集合管装着用空間部
３      形成型枠
４      釘
５      充填材料入りパック
６      混練り水
７      目盛り線
８      蓋
９      集合管
１０    充填材
１１    工具
１２    床スラブ
【図１】
2004150164.tif 000003
【図２】
2004150164.tif 000004
【図３】
2004150164.tif 000005
【図４】
2004150164.tif 000006
【図５】
2004150164.tif 000007
【図６】
2004150164.tif 000008
【図７】
2004150164.tif 000009